(57)【要約】【課題】ユーザの利便性を高めることが可能な情報処理装置を得る。【解決手段】本発明の情報処理装置は、１または複数の画像処理装置との間で第１の通信経路を介する第１の無線通信を行うことが可能な第１の通信部と、第２の無線通信を行うことが可能であり、通信機能を有効または無効に設定可能な第２の通信部と、所定のソフトウェアを実行することにより、第１および第２の通信部の動作を制御する制御部とを備える。上記制御部は、１または複数の画像処理装置との間で第１の通信部に第１の通信経路を介する第１の無線通信を行わせることにより、１または複数の画像処理装置が第２の無線通信により通信可能な第１の画像処理装置を含むかどうかを調べる第１の処理と、１または複数の画像処理装置が第１の画像処理装置を含む場合において、第２の通信部の通信機能が無効である場合には、第２の通信部の通信機能を有効にする第２の処理とを行う。【選択図】図４
2019145999.tif 000002
【特許請求の範囲】
【請求項１】
１または複数の画像処理装置との間で第１の通信経路を介する第１の無線通信を行うことが可能な第１の通信部と、
第２の無線通信を行うことが可能であり、通信機能を有効または無効に設定可能な第２の通信部と、
所定のソフトウェアを実行することにより、前記第１の通信部および前記第２の通信部の動作を制御する制御部と
を備え、
前記制御部は、前記ソフトウェアを実行することにより、
前記１または複数の画像処理装置との間で前記第１の通信部に前記第１の通信経路を介する前記第１の無線通信を行わせることにより、前記１または複数の画像処理装置が前記第２の無線通信により通信可能な第１の画像処理装置を含むかどうかを調べる第１の処理と、
前記１または複数の画像処理装置が前記第１の画像処理装置を含む場合において、前記第２の通信部の前記通信機能が無効である場合には、前記第２の通信部の前記通信機能を有効にする第２の処理と
を行う
情報処理装置。
【請求項２】
前記第１の通信部は、前記第１の画像処理装置との間で第２の通信経路を介する前記第１の無線通信を行うことが可能であり、
前記制御部は、
前記第２の処理を行った後に、前記第１の画像処理装置との間で前記第２の通信部に前記第２の無線通信を行わせることにより、前記第１の画像処理装置から、前記第２の通信経路を介する前記第１の無線通信のネットワーク設定情報を取得し、前記ネットワーク設定情報に基づいて前記第１の通信部のネットワーク設定を行う第３の処理と、
前記第１の画像処理装置との間で前記第１の通信部に前記第２の通信経路を介する前記第１の無線通信を行わせることにより、前記第１の画像処理装置に画像データを供給する第４の処理と
をさらに行う
請求項１に記載の情報処理装置。
【請求項３】
前記第１の通信部は、前記第１の画像処理装置との間で第２の通信経路を介する前記第１の無線通信を行うことが可能であり、
前記制御部は、
前記第２の処理を行った後に、前記第１の画像処理装置との間で前記第２の通信部に前記第２の無線通信を行わせることにより、前記第１の画像処理装置から、前記第２の通信経路を介する前記第１の無線通信のネットワーク設定情報を取得し、前記ネットワーク設定情報に基づいて前記第１の通信部のネットワーク設定を行う第３の処理と、
前記第１の画像処理装置との間で前記第１の通信部に前記第２の通信経路を介する前記第１の無線通信を行わせることにより、前記第１の画像処理装置から画像データを受け取る第５の処理と
をさらに行う
請求項１または請求項２に記載の情報処理装置。
【請求項４】
前記第１の通信経路は、中継装置を介する経路であり、
前記第２の通信経路は、前記中継装置を介しない経路である
請求項２または請求項３に記載の情報処理装置。
【請求項５】
前記第１の通信部は、通信機能を有効または無効に設定可能であり、
前記制御部は、前記ソフトウェアの起動時に、前記第１の通信部の前記通信機能が無効である場合には、前記第１の通信部の前記通信機能を有効にする第６の処理をさらに行う
請求項１から請求項４のいずれか一項に記載の情報処理装置。
【請求項６】
前記制御部は、前記１または複数の画像処理装置が前記第２の無線通信により通信可能な画像処理装置を含まない場合には、前記第１の処理を間欠的に行う
請求項１から請求項５のいずれか一項に記載の情報処理装置。
【請求項７】
ユーザの操作を受け付ける操作部をさらに備え、
前記制御部は、前記操作部からの指示に基づいて前記ソフトウェアを実行する
請求項１から請求項６のいずれか一項に記載の情報処理装置。
【請求項８】
前記制御部には、前記ソフトウェアが記憶された
請求項１から請求項７のいずれか一項に記載の情報処理装置。
【請求項９】
情報処理装置が所定のソフトウェアを実行することにより、１または複数の画像処理装置との間で、第１の通信部に第１の通信経路を介する第１の無線通信を行わせることと、
前記１または複数の画像処理装置のそれぞれが、前記情報処理装置との間で前記第１の通信経路を介する前記第１の無線通信を行うことにより、第２の無線通信を行うことができるかどうかについての情報を含む設定情報を前記情報処理装置に供給することと、
前記情報処理装置が、前記設定情報に基づいて、前記１または複数の画像処理装置が前記第２の無線通信により通信可能な第１の画像処理装置を含むかどうかを調べることと、
前記１または複数の画像処理装置が前記第１の画像処理装置を含む場合において、前記第２の無線通信を行うことが可能な第２の通信部の通信機能が無効である場合には、前記情報処理装置が前記第２の通信部の前記通信機能を有効にすることと
を含む情報処理方法。
【請求項１０】
前記情報処理装置が、前記第１の画像処理装置との間で前記第２の通信部に前記第２の無線通信を行わせることにより、前記第１の画像処理装置から、第２の通信経路を介する前記第１の無線通信のネットワーク設定情報を取得し、前記ネットワーク設定情報に基づいて前記第１の通信部のネットワーク設定を行うことと、
前記第１の画像処理装置が、前記ネットワーク設定情報に応じたネットワーク設定を行うことと、
前記情報処理装置が、前記第１の画像処理装置との間で前記第１の通信部に前記第２の通信経路を介する前記第１の無線通信を行わせることにより、前記第１の画像処理装置に画像データを供給することと
をさらに含む
請求項９に記載の情報処理方法。
【請求項１１】
前記第１の画像処理装置が、前記画像データに基づいて記録媒体に画像を形成することと
をさらに含む
請求項１０に記載の情報処理方法。
【請求項１２】
前記情報処理装置が、前記第１の画像処理装置との間で前記第２の通信部に前記第２の無線通信を行わせることにより、前記第１の画像処理装置から第２の通信経路を介する前記第１の無線通信のネットワーク設定情報を取得し、前記ネットワーク設定情報に基づいて前記第１の通信部のネットワーク設定を行うことと、
前記第１の画像処理装置が、前記ネットワーク設定情報に応じたネットワーク設定を行うことと、
前記第１の画像処理装置が、前記情報処理装置との間で前記第２の通信経路を介する前記第１の無線通信を行うことにより、前記情報処理装置に画像データを供給することと、
前記情報処理装置が、前記第１の画像処理装置との間で前記第１の通信部に前記第２の通信経路を介する前記第２の無線通信を行わせることにより前記画像データを受け取ることと
をさらに含む
請求項９に記載の情報処理方法。
【請求項１３】
前記第１の画像処理装置が、原稿媒体から画像を読み取ることにより前記画像データを生成することを含む
請求項１２に記載の情報処理方法。
【発明の詳細な説明】
【技術分野】
【０００１】
本発明は、画像処理装置との間で情報をやりとりする情報処理装置、および情報処理方法に関する。
【背景技術】
【０００２】
画像形成装置には、近距離無線通信を用いてモバイル端末との間で情報のやりとりを行うことが可能なものがある（例えば、特許文献１）。
【先行技術文献】
【特許文献】
【０００３】
【特許文献１】特開２０１７−１９５４７５号公報
【発明の概要】
【発明が解決しようとする課題】
【０００４】
電子機器では、一般に、ユーザの利便性が高いことが望まれており、さらなる利便性の向上が期待されている。
【０００５】
ユーザの利便性を高めることが可能な情報処理装置および情報処理方法を提供することが望ましい。
【課題を解決するための手段】
【０００６】
本発明の一実施の形態における情報処理装置は、第１の通信部と、第２の通信部と、制御部とを備えている。第１の通信部は、１または複数の画像処理装置との間で第１の通信経路を介する第１の無線通信を行うことが可能なものである。第２の通信部は、第２の無線通信を行うことが可能であり、通信機能を有効または無効に設定可能なものである。制御部は、所定のソフトウェアを実行することにより、第１の通信部および第２の通信部の動作を制御可能なものである。上記制御部は、ソフトウェアを実行することにより、１または複数の画像処理装置との間で第１の通信部に第１の通信経路を介する第１の無線通信を行わせることにより、１または複数の画像処理装置が第２の無線通信により通信可能な第１の画像処理装置を含むかどうかを調べる第１の処理と、１または複数の画像処理装置が第１の画像処理装置を含む場合において、第２の通信部の通信機能が無効である場合には、第２の通信部の通信機能を有効にする第２の処理とを行うものである。
【０００７】
本発明の一実施の形態における情報処理方法は、情報処理装置が所定のソフトウェアを実行することにより、１または複数の画像処理装置との間で、第１の通信部に第１の通信経路を介する第１の無線通信を行わせることと、１または複数の画像処理装置のそれぞれが、情報処理装置との間で第１の通信経路を介する第１の無線通信を行うことにより、第２の無線通信を行うことができるかどうかについての情報を含む設定情報を情報処理装置に供給することと、情報処理装置が、設定情報に基づいて、１または複数の画像処理装置が第２の無線通信により通信可能な第１の画像処理装置を含むかどうかを調べることと、１または複数の画像処理装置が第１の画像処理装置を含む場合において、第２の無線通信を行うことが可能な第２の通信部の通信機能が無効である場合には、情報処理装置が第２の通信部の通信機能を有効にすることとを含むものである。
【発明の効果】
【０００８】
本発明の一実施の形態における情報処理装置および情報処理方法によれば、１または複数の画像処理装置が第２の無線通信により通信可能な第１の画像処理装置を含むかどうかを調べ、１または複数の画像処理装置が第１の画像処理装置を含む場合において、第２の通信部の通信機能が無効である場合には、第２の通信部の通信機能を有効にするようにしたので、ユーザの利便性を高めることができる。
【図面の簡単な説明】
【０００９】
【図１】一実施の形態に係る画像処理システムの一構成例を表す構成図である。
【図２】図１に示したモバイル端末および画像処理装置の一構成例を表すブロック図である。
【図３】図１に示した他の画像処理装置の一構成例を表すブロック図である。
【図４】実施の形態に係るモバイル端末の一動作例を表すフローチャートである。
【図５Ａ】モバイル端末に表示される画像の一例を表す画像図である。
【図５Ｂ】モバイル端末に表示される画像の他の例を表す画像図である。
【図６】モバイル端末に表示される画像の他の例を表す画像図である。
【図７】ＮＦＣ印刷の一例を表すシーケンス図である。
【図８】変形例に係るモバイル端末の一動作例を表すフローチャートである。
【図９】ＮＦＣスキャンの一例を表すシーケンス図である。
【発明を実施するための形態】
【００１０】
以下、本発明の実施の形態について、図面を参照して詳細に説明する。
【００１１】
［構成例］
図１は、本発明の一実施の形態に係る情報処理装置が用いられる画像処理システム１の一構成例を表すものである。なお、本発明の一実施の形態に係る情報処理方法は、本実施の形態により具現化されるので、併せて説明する。画像処理システム１は、複数の画像処理装置１０（画像処理装置１０Ａ，１０Ｂ，１０Ｃ，…）と、モバイル端末２０と、アクセスポイント９とを備えている。
【００１２】
複数の画像処理装置１０のそれぞれは、コピー機能、ファックス機能、スキャン機能、プリント機能などを有する、いわゆる多機能周辺装置（ＭＦＰ；Multi  Function Peripheral）である。複数の画像処理装置１０は、例えば会社の一事業所のネットワークなど、同一のネットワークに接続されたものであり、モバイル端末２０の周囲に配置されたものである。これらの画像処理装置１０のそれぞれは、無線ＬＡＮ（Local Area Network）を用いてモバイル端末２０と通信を行うことにより、例えばモバイル端末２０から印刷データＤＰを受け取るようになっている。
【００１３】
複数の画像処理装置１０のうちの画像処理装置１０Ａは、２つのネットワーク通信モードＭ（インフラストラクチャモードＭ１およびアクセスポイントモードＭ２）を有している。インフラストラクチャモードＭ１は、画像処理装置１０Ａが、アクセスポイント９を介して、モバイル端末２０との間で無線ＬＡＮを用いて無線ネットワーク通信Ｗ１を行うモードである。アクセスポイントモードＭ２は、画像処理装置１０Ａが、アクセスポイント９を介さずに、モバイル端末２０との間で、無線ＬＡＮを用いて、直接、無線ネットワーク通信Ｗ２を行うモードである。具体的には、このアクセスポイントモードＭ２では、画像処理装置１０Ａは、自らがアクセスポイントとして動作することにより、モバイル端末２０との間で無線ネットワーク通信Ｗ２を行うようになっている。これにより、画像処理装置１０Ａは、インフラストラクチャモードＭ１で動作することにより、アクセスポイント９を介してモバイル端末２０との間で無線ネットワーク通信Ｗ１を行うとともに、アクセスポイントモードＭ２で動作することにより、直接、モバイル端末２０との間で無線ネットワーク通信Ｗ２を行うことができるようになっている。また、画像処理装置１０Ａは、モバイル端末２０との間で、近距離無線通信（ＮＦＣ；Near Field Communication）ＷＮＦＣを行う機能をも有している。
【００１４】
複数の画像処理装置１０のうちの画像処理装置１０Ｂ，１０Ｃは、例えば、インフラストラクチャモードＭ１を有しており、アクセスポイントモードＭ２を有していないものである。これにより、画像処理装置１０Ｂ，１０Ｃは、インフラストラクチャモードＭ１で動作することにより、アクセスポイント９を介してモバイル端末２０との間で無線ネットワーク通信Ｗ１を行うようになっている。また、この例では、画像処理装置１０Ｂ，１０Ｃは、画像処理装置１０Ａとは異なり、近距離無線通信ＷＮＦＣを行う機能を有していないものである。
【００１５】
このように、画像処理システム１は、近距離無線通信ＷＮＦＣを行うことが可能な画像処理装置（この例では画像処理装置１０Ａ）、および近距離無線通信ＷＮＦＣを行うことができない画像処理装置（この例では画像処理装置１０Ｂ，１０Ｃ）を含んでいる。
【００１６】
モバイル端末２０は、この例では、いわゆるスマートフォンである。モバイル端末２０は、無線ネットワーク通信Ｗ１，Ｗ２を行うことができるとともに、近距離無線通信ＷＮＦＣを行うことができるものである。
【００１７】
アクセスポイント９は、無線ＬＡＮの基地局である。複数の画像処理装置１０のそれぞれは、インフラストラクチャモードＭ１で動作することにより、このアクセスポイント９を介してモバイル端末２０との間で無線ネットワーク通信Ｗ１を行うようになっている。
【００１８】
この構成により、画像処理システム１では、モバイル端末２０は、まず、無線ネットワーク通信Ｗ１を用いて、モバイル端末２０の周囲に近距離無線通信ＷＮＦＣを行うことができる画像処理装置１０があるかどうかを確認する。そして、モバイル端末２０は、周囲に近距離無線通信ＷＮＦＣを行うことができる画像処理装置１０がある場合には、モバイル端末２０における近距離無線通信ＷＮＦＣの通信機能（ＮＦＣ通信機能）が“無効”であるかどうかを確認し、近距離無線通信ＷＮＦＣの通信機能が“無効”である場合には、この通信機能を“有効”にする。そして、ユーザが、このモバイル端末２０を、近距離無線通信ＷＮＦＣを行うことができる画像処理装置１０（この例では画像処理装置１０Ａ）にかざすことにより、モバイル端末２０は、画像処理装置１０Ａから無線ネットワーク通信Ｗ２を行うためのネットワーク設定情報ＩＮＦを取得し、このネットワーク設定情報ＩＮＦに基づいてネットワーク設定を行う。そして、モバイル端末２０は、画像処理装置１０Ａとの間で無線ネットワーク通信Ｗ２を行うことにより印刷データＤＰを画像処理装置１０Ａに供給する。そして、画像処理装置１０Ａは、この印刷データＤＰに基づいて記録媒体に画像を形成するようになっている。以下、このように近距離無線通信ＷＮＦＣにより取得したネットワーク設定情報ＩＮＦに基づいて無線ネットワーク通信Ｗ２を確立し、この無線ネットワーク通信Ｗ２により供給した印刷データＤＰに基づいて記録媒体に画像を形成する処理を、“ＮＦＣ印刷”ともいう。
【００１９】
（画像処理装置１０）
図２は、画像処理装置１０Ａおよびモバイル端末２０の一構成例を表すものである。画像処理装置１０Ａは、無線ネットワーク通信部１１と、ＩＣ（Integrated Circuit）タグ１２と、ＦＡＸ通信部１３と、表示操作部１４と、画像読取部１５と、画像形成部１６と、記憶部１７と、制御部１８とを有している。
【００２０】
無線ネットワーク通信部１１は、インフラストラクチャモードＭ１では、アクセスポイント９を介してモバイル端末２０との間で無線ネットワーク通信Ｗ１を行い、アクセスポイントモードＭ２では、モバイル端末２０との間で、直接、無線ネットワーク通信Ｗ２を行うものである。無線ネットワーク通信部１１を用いた無線ネットワーク通信Ｗ１，Ｗ２の通信機能（無線ＬＡＮ通信機能）は、制御部１８により、“有効”または“無効”に設定されることができるようになっている。
【００２１】
ＩＣタグ１２は、制御部１８から供給されたネットワーク設定情報ＩＮＦを記憶するとともに、モバイル端末２０のタグ読取部２２（後述）により、近距離無線通信ＷＮＦＣを用いて、このネットワーク設定情報ＩＮＦを読み取られることができるように構成されたものである。ネットワーク設定情報ＩＮＦは、モバイル端末２０が画像処理装置１０Ａとの間で無線ネットワーク通信Ｗ２による通信を確立するための設定情報であり、例えば、ＩＰ（Internet Protocol）アドレス、ＳＳＩＤ（Service Set Identifier）、パスワード、およびセキュリティ種別情報を含んでいる。セキュリティ種別情報は、例えば、ＷＥＰ（Wired Equivalent Privacy）、ＷＰＡ（Wi-Fi Protected Access）などの設定についての情報である。このＩＣタグ１２を用いた近距離無線通信ＷＮＦＣの通信機能（ＮＦＣ通信機能）は、制御部１８により、“有効”または“無効”に設定されることができるようになっている。
【００２２】
ＦＡＸ通信部１３は、電話回線を介して通信相手との間でＦＡＸデータを送受信するものである。
【００２３】
表示操作部１４は、ユーザの操作を受け付けるとともに、画像処理装置１０の動作状態などを表示するものであり、例えば、タッチパネル、各種ボタン、液晶ディスプレイ、各種インジケータなどを用いて構成されるものである。
【００２４】
画像読取部１５は、制御部１８の画像読取制御部１８Ｂ（後述）からの指示に基づいて、原稿媒体に形成された画像を読み取るものである。
【００２５】
画像形成部１６は、制御部１８の画像形成制御部１８Ｃ（後述）からの指示に基づいて、紙などの記録媒体に画像を形成するものである。
【００２６】
記憶部１７は、例えば不揮発性のメモリを用いて構成されるものである。記憶部１７は、状態情報１７Ａと、設定情報１７Ｂとを記憶している。
【００２７】
状態情報１７Ａは、画像処理装置１０Ａの現在の動作状態についての情報である。具体的には、状態情報１７Ａは、例えば、画像処理装置１０Ａが、待機状態、画像形成状態、画像読取状態、エラー状態などの複数の動作状態のうちのどの動作状態であるかについての情報を含んでいる。この状態情報１７Ａは、画像処理装置１０の動作状態が変化する度に、制御部１８からの指示に基づいて更新されるようになっている。
【００２８】
設定情報１７Ｂは、画像処理装置１０Ａにおける各種設定についての情報である。具体的には、設定情報１７Ｂは、例えば、無線ネットワーク通信部１１を用いた無線ネットワーク通信Ｗ１，Ｗ２の通信機能（無線ＬＡＮ通信機能）の“有効”または“無効”についての情報や、ＩＣタグ１２を用いた近距離無線通信ＷＮＦＣの通信機能（ＮＦＣ通信機能）の“有効”または“無効”についての情報を含んでいる。この設定情報１７Ｂは、画像処理装置１０Ａの設定が変更された場合には、制御部１８からの指示に基づいて更新されるようになっている。
【００２９】
この画像処理装置１０Ａでは、例えば、無線ＬＡＮ通信機能およびＮＦＣ通信機能はともに“有効”に設定される。よって、この画像処理装置１０Ａの設定情報１７Ｂは、無線ＬＡＮ通信機能は“有効”である旨の情報、およびＮＦＣ通信機能は“有効”である旨の情報を含んでいる。
【００３０】
制御部１８は、画像処理装置１０Ａにおける動作を制御するものである。制御部１８は、例えばＣＰＵ（Central Processing Unit）、ＲＡＭ（Random Access Memory）、不揮発性のメモリなどを用いて構成される。制御部１８は、情報提供部１８Ａと、画像読取制御部１８Ｂと、画像形成制御部１８Ｃとを有している。
【００３１】
情報提供部１８Ａは、モバイル端末２０から、無線ネットワーク通信部１１を用いて無線ネットワーク通信Ｗ１により供給された指示に基づいて、記憶部１７から状態情報１７Ａおよび設定情報１７Ｂを読み出し、これらの状態情報１７Ａおよび設定情報１７Ｂを、無線ネットワーク通信部１１を用いて、無線ネットワーク通信Ｗ１によりモバイル端末２０に対して提供するものである。
【００３２】
画像読取制御部１８Ｂは、画像読取部１５の動作を制御することにより、原稿媒体に形成された画像を読み取らせるものである。
【００３３】
画像形成制御部１８Ｃは、画像形成部１６の動作を制御することにより、記録媒体に画像を形成させるものである。
【００３４】
図３は、画像処理装置１０Ｂの一構成例を表すものである。画像処理装置１０Ｂは、無線ネットワーク通信部１１と、ＦＡＸ通信部１３と、表示操作部１４と、画像読取部１５と、画像形成部１６と、記憶部１７と、制御部１８とを有している。すなわち、画像処理装置１０Ｂは、画像処理装置１０Ａ（図２）とは異なり、ＩＣタグ１２を有しないものである。すなわち、この画像処理装置１０Ｂでは、ＮＦＣ通信機能は“無効”に設定される。よって、この画像処理装置１０Ｂの記憶部１７に記憶された設定情報１７Ｂは、無線ＬＡＮ通信機能は“有効”である旨の情報、およびＮＦＣ通信機能は“無効”である旨の情報を含んでいる。
【００３５】
（モバイル端末２０）
モバイル端末２０は、無線ネットワーク通信部２１と、タグ読取部２２と、電話通信部２３と、表示操作部２４と、制御部２５とを有している。
【００３６】
無線ネットワーク通信部２１は、アクセスポイント９を介してモバイル端末２０との間で無線ネットワーク通信Ｗ１を行い、あるいは画像処理装置１０Ａとの間で、直接、無線ネットワーク通信Ｗ２を行うものである。無線ネットワーク通信部２１を用いた無線ネットワーク通信Ｗ１，Ｗ２の通信機能（無線ＬＡＮ通信機能）は、制御部２５により“有効”または“無効”に設定されることができるようになっている。
【００３７】
タグ読取部２２は、近距離無線通信ＷＮＦＣを行うリーダライタであり、制御部２５からの指示に基づいて、画像処理装置１０ＡのＩＣタグ１２に情報を書き込み、あるいはＩＣタグ１２から情報を読み出すものである。このタグ読取部２２を用いた近距離無線通信ＷＮＦＣの通信機能（ＮＦＣ通信機能）は、制御部２５により、“有効”または“無効”に設定されることができるようになっている。
【００３８】
電話通信部２３は、携帯電話の基地局を介して、通信相手との間で無線通信を行うものである。
【００３９】
表示操作部２４は、ユーザの操作を受け付けるとともに、モバイル端末２０の動作状態などを表示するものであり、例えば、タッチパネル、各種ボタン、液晶ディスプレイ、各種インジケータなどを用いて構成されるものである。
【００４０】
制御部２５は、モバイル端末２０における動作を制御するものである。制御部２５は、例えばＣＰＵ、ＲＡＭ、不揮発性のメモリなどを用いて構成される。モバイル端末２０には、アプリケーションソフトウェア２６がインストールされている。このアプリケーションソフトウェア２６は、制御部２５の不揮発性のメモリに記憶されている。制御部２５は、このアプリケーションソフトウェア２６を実行可能に構成されている。アプリケーションソフトウェア２６は、情報取得部２６Ａと、処理部２６Ｂと、表示制御部２６Ｃとを有している。
【００４１】
情報取得部２６Ａは、画像処理装置１０から、無線ネットワーク通信部２１を用いて、無線ネットワーク通信Ｗ１により状態情報１７Ａおよび設定情報１７Ｂを取得するとともに、タグ読取部２２を用いて、近距離無線通信ＷＮＦＣによりネットワーク設定情報ＩＮＦを取得するものである。
【００４２】
処理部２６Ｂは、アプリケーションソフトウェア２６のプログラムに基づいて所定の処理を行うものである。具体的には、処理部２６Ｂは、例えば、アプリケーションソフトウェア２６を起動したときに、無線ネットワーク通信部２１を用いた無線ネットワーク通信Ｗ１，Ｗ２の通信機能（無線ＬＡＮ通信機能）が“有効”であるかどうかを確認し、この無線ＬＡＮ通信機能が“無効”である場合には、この無線ＬＡＮ通信機能を“有効”にする。また、処理部２６Ｂは、情報取得部２６Ａが取得した状態情報１７Ａおよび設定情報１７Ｂに基づいて、周囲に近距離無線通信ＷＮＦＣを行うことができる画像処理装置１０があるかどうかを確認する。そして、処理部２６Ｂは、周囲に近距離無線通信ＷＮＦＣを行うことができる画像処理装置１０がある場合には、モバイル端末２０における近距離無線通信ＷＮＦＣの通信機能（ＮＦＣ通信機能）が“有効”であるかどうかを確認し、このＮＦＣ通信機能が“無効”である場合には、このＮＦＣ通信機能を“有効”にする。そして、処理部２５Ｂは、情報取得部２６Ａが取得したネットワーク設定情報ＩＮＦに基づいて、無線ネットワーク通信部２１のネットワーク設定を行い、無線ネットワーク通信部２１に無線ネットワーク通信Ｗ２を行わせることにより、印刷データＤＰを画像処理装置１０に供給するようになっている。
【００４３】
表示制御部２６Ｃは、処理部２６Ｂにおける処理結果に基づいて、表示操作部２４に表示する画像情報を生成するものである。そして、表示制御部２６Ｃは、生成した画像情報を表示操作部２４に供給するようになっている。
【００４４】
ここで、モバイル端末２０は、本発明における「情報処理装置」の一具体例に対応する。無線ネットワーク通信部２１は、本発明における「第１の通信部」の一具体例に対応する。無線ネットワーク通信Ｗ１は、本発明における「第１の通信経路を介する第１の無線通信」の一具体例に対応する。アクセスポイント９は、本発明における「中継装置」の一具体例に対応する。無線ネットワーク通信Ｗ２は、本発明における「第２の通信経路を介する第１の無線通信」の一具体例に対応する。タグ読取部２２は、本発明における「第２の通信部」の一具体例に対応する。近距離無線通信ＷＮＦＣは、本発明における「第２の無線通信」の一具体例に対応する。アプリケーションソフトウェア２６は、本発明における「ソフトウェア」の一具体例に対応する。印刷データＤＰは、本発明における「画像データ」の一具体例に対応する。表示操作部２４は、本発明における「操作部」の一具体例に対応する。
【００４５】
［動作および作用］
続いて、本実施の形態の画像処理システム１の動作および作用について説明する。
【００４６】
（全体動作概要）
まず、図１を参照して、画像処理システム１の全体動作概要を説明する。モバイル端末２０は、アプリケーションソフトウェア２６を起動したときに、まず、無線ネットワーク通信部２１を用いた無線ネットワーク通信Ｗ１，Ｗ２の通信機能（無線ＬＡＮ通信機能）が“有効”であるかどうかを確認し、この無線ＬＡＮ通信機能が“無効”である場合には、この無線ＬＡＮ通信機能を“有効”にする。そして、モバイル端末２０は、無線ネットワーク通信Ｗ１を用いて、モバイル端末２０の周囲の複数の画像処理装置１０と通信を行い、複数の画像処理装置１０のそれぞれから状態情報１７Ａおよび設定情報１７Ｂを取得することにより、周囲に近距離無線通信ＷＮＦＣを行うことができる画像処理装置１０があるかどうかを確認する。そして、モバイル端末２０は、周囲に近距離無線通信ＷＮＦＣを行うことができる画像処理装置１０がある場合には、モバイル端末２０における近距離無線通信ＷＮＦＣの通信機能（ＮＦＣ通信機能）が“有効”であるかどうかを確認し、ＮＦＣ通信機能が“無効”である場合には、このＮＦＣ通信機能を“有効”にする。そして、ユーザが、このモバイル端末２０を、近距離無線通信ＷＮＦＣを行うことができる画像処理装置１０（この例では画像処理装置１０Ａ）にかざすと、モバイル端末２０は、画像処理装置１０Ａから無線ネットワーク通信Ｗ２を行うためのネットワーク設定情報ＩＮＦを取得し、このネットワーク設定情報ＩＮＦに基づいてネットワーク設定を行う。そして、モバイル端末２０は、画像処理装置１０Ａとの間で無線ネットワーク通信Ｗ２を行うことにより印刷データＤＰを画像処理装置１０Ａに供給する。そして、画像処理装置１０Ａは、この印刷データＤＰに基づいて記録媒体に画像を形成する。
【００４７】
（詳細動作）
図４は、ユーザがモバイル端末２０を操作することによりアプリケーションソフトウェア２６を起動したときのモバイル端末２０の一動作例を表すものである。複数の画像処理装置１０は、インフラストラクチャモードＭ１で動作している。そして、モバイル端末２０は、無線ネットワーク通信Ｗ１を用いて、モバイル端末２０の周囲の複数の画像処理装置１０と通信を行うことにより、周囲にＮＦＣ印刷を行うことができる画像処理装置１０があるかどうかを確認する。そして、モバイル端末２０は、周囲にＮＦＣ印刷を行うことができる画像処理装置１０がある場合には、モバイル端末２０における近距離無線通信ＷＮＦＣの通信機能（ＮＦＣ通信機能）が“有効”であるかどうかを確認し、近距離無線通信ＷＮＦＣの通信機能が“無効”である場合には、この通信機能を“有効”にする。そして、画像処理システム１はＮＦＣ印刷を行う。以下に、この動作について詳細に説明する。
【００４８】
まず、制御部２５がアプリケーションソフトウェア２６を起動すると、表示制御部２６Ｃは、表示操作部２４が表示すべき起動中を示す画像に係る画像情報、および起動後の画像に係る画像情報を生成する。そして、処理部２６Ｂは、モバイル端末２０における、無線ネットワーク通信部２１を用いた無線ネットワーク通信Ｗ１，Ｗ２の通信機能（無線ＬＡＮ通信機能）が“有効”であるかどうかを確認する（ステップＳ１０１）。無線ＬＡＮ通信機能が“有効”である場合（ステップＳ１０１において“Ｙ”）には、ステップＳ１０３に進む。無線ＬＡＮ通信機能が“無効”である場合（ステップＳ１０１において“Ｎ”）には、処理部２６Ｂは、無線ＬＡＮ通信機能を“有効”に設定し（ステップＳ１０２）、ステップＳ１０３に進む。
【００４９】
次に、モバイル端末２０は、モバイル端末２０の周囲の動作可能な画像処理装置１０を検索する（ステップＳ１０３）。具体的には、無線ネットワーク通信部２１が、同一ネットワークに接続された複数の画像処理装置１０と通信を行うことにより、情報取得部２６Ａが複数の画像処理装置１０のそれぞれから状態情報１７Ａおよび設定情報１７Ｂを取得する。そして、処理部２６Ｂは、取得した状態情報１７Ａに基づいて、例えば、動作状態がエラー状態ではない画像処理装置１０があるかどうかを確認することにより、動作可能な画像処理装置１０があるかどうかを確認する。
【００５０】
次に、モバイル端末２０は、モバイル端末２０の周囲の動作可能な画像処理装置１０のそれぞれが、ＮＦＣ印刷を行うことができるかどうかを確認する（ステップＳ１０４）。具体的には、処理部２６Ｂは、情報取得部２６Ａが取得した設定情報１７Ｂに基づいて、ＩＣタグ１２を用いた近距離無線通信ＷＮＦＣの通信機能（ＮＦＣ通信機能）が“有効”かどうかを確認することにより、ＮＦＣ印刷を行うことができるかどうかを確認する。
【００５１】
そして、モバイル端末２０では、表示制御部２６ＣがステップＳ１０３，Ｓ１０４における処理部２６Ｂの処理結果に基づいて画像情報を生成し、表示操作部２４がその画像情報に基づいて画像を表示する。
【００５２】
図５Ａ，５Ｂは、モバイル端末２０の表示操作部２４が表示する画像１００の一例を表すものであり、図５Ａは、モバイル端末２０の周囲に、ＮＦＣ印刷を行うことができる画像処理装置１０がある場合の画像１００Ａを示し、図５Ｂは、ＮＦＣ印刷を行うことができる画像処理装置１０がない場合の画像１００Ｂを示す。
【００５３】
画像１００Ａ，１００Ｂは、リスト表示フィールド１０１と、メッセージ表示フィールド１０２と、“プリンタ検索”ボタン１０３と、“次へ”ボタン１０４とを含んでいる。リスト表示フィールド１０１は、ステップＳ１０３において検索した、モバイル端末２０の周囲の動作可能な画像処理装置１０の名称のリストを表示するフィールドである。メッセージ表示フィールド１０２は、ユーザへのメッセージを表示するフィールドである。“プリンタ検索”ボタン１０３は、モバイル端末２０の周囲の動作可能な画像処理装置１０の再検索を指示する際にユーザが操作するボタンである。“次へ”ボタン１０４は、次へ進む際にユーザが操作するボタンである。
【００５４】
モバイル端末２０の周囲に、ＮＦＣ印刷を行うことができる画像処理装置１０がある場合には、図５Ａに示したように、リスト表示フィールド１０１において、動作可能な画像処理装置１０の名称のリストが表示されるとともに、動作可能な画像処理装置１０のうちの、ＮＦＣ印刷を行うことができる画像処理装置１０の名称の横にアイコン１０５が表示される。この例では、“プリンタＡ”、“プリンタＢ”、“プリンタＣ”、および“プリンタＤ”が、動作可能な画像処理装置１０としてリスト表示されている。そして、この例では、“プリンタＤ”の横にアイコン１０５が表示されている。すなわち、この例では、“プリンタＤ”が、ＮＦＣ印刷を行うことができる画像処理装置１０である。なお、この例では、１つの画像処理装置１０（“プリンタＤ”）が、ＮＦＣ印刷を行うことができる例で説明したが、複数の画像処理装置１０がＮＦＣ印刷を行うことができる場合には、複数の画像処理装置１０の名称の横にアイコン１０５が表示される。
【００５５】
また、モバイル端末２０の周囲に、ＮＦＣ印刷を行うことができる画像処理装置１０がない場合には、図５Ｂに示したように、リスト表示フィールド１０１において、動作可能な画像処理装置１０の名称のリストが表示される。この例では、“プリンタＡ”、“プリンタＢ”、および“プリンタＣ”が、動作可能な画像処理装置１０としてリスト表示されている。この例では、ＮＦＣ印刷を行うことができる画像処理装置１０がないので、アイコン１０５は表示されない。
【００５６】
モバイル端末２０の周囲に、ＮＦＣ印刷を行うことができる画像処理装置１０がない場合（ステップＳ１０５において“Ｎ”）には、図５Ｂに示したように、表示操作部２４は、メッセージ表示フィールド１０２に、モバイル端末２０の周囲に、ＮＦＣ印刷を行うことができる画像処理装置１０がない旨のメッセージを表示する（ステップＳ１０６）。
【００５７】
そして、モバイル端末２０は、ユーザによる“プリンタ検索”ボタン１０３の操作を受け付けると（ステップＳ１０７）、ステップＳ１０３に戻り、周囲における動作可能な画像処理装置１０を再度検索するとともに、動作可能な画像処理装置１０に、ＮＦＣ印刷を行うことができる画像処理装置１０が含まれているかどうかを確認する（ステップＳ１０３，Ｓ１０４）。すなわち、例えば、複数の画像処理装置１０のそれぞれの動作状態は変化しえること、また、モバイル端末２０を有するユーザが移動し得ることを考慮し、モバイル端末２０では、モバイル端末２０の周囲の動作可能な画像処理装置１０を再度検索することができる。
【００５８】
なお、この例では、ユーザによる“プリンタ検索”ボタン１０３の操作に基づいて、動作可能な画像処理装置１０を再度検索するようにしたが、これに限定されるものではない。例えば、ユーザによる“プリンタ検索”ボタン１０３の操作がない場合でも、所定の長さの時間が経過する度に、動作可能な画像処理装置１０を再度検索してもよい。また、ユーザがモバイル端末２０の表示操作部２４を操作してアプリケーションソフトウェア２６の実行を終了した場合に、このフローを終了することができる。
【００５９】
ステップＳ１０５において、ＮＦＣ印刷を行うことができる画像処理装置１０がある場合（ステップＳ１０５において“Ｙ”）には、モバイル端末２０は、ユーザによる“次へ”ボタン１０４の操作を受け付けた後に、表示制御部２６Ｃがこの例では印刷すべき写真を選択する際に用いる画像（写真選択画像１１０）の画像情報を生成し、表示操作部２４が、その画像情報に基づいて写真選択画像１１０を表示する（ステップＳ１０８）。
【００６０】
図６は、モバイル端末２０の表示操作部２４が表示する写真選択画像１１０の一例を表すものである。写真選択画像１１０は、サムネイル表示フィールド１１１と、“印刷プレビュー”ボタン１１２と、“印刷”ボタン１１３とを含んでいる。サムネイル表示フィールド１１１は、モバイル端末２０に記憶されている写真データのサムネイルを表示するフィールドである。“印刷プレビュー”ボタン１１２は、いわゆる印刷プレビューの表示を指示する際にユーザが操作するものである。“印刷”ボタン１１３は、印刷を指示する際にユーザが操作するものである。ユーザは、表示操作部２４を操作することにより、印刷する写真を選択する。そして、ユーザは、印刷開始を指示すべく、“印刷”ボタン１１３の操作を行う。
【００６１】
そして、モバイル端末２０は、ユーザによる“印刷”ボタン１１３の操作を受け付けると（ステップＳ１０９）、処理部２６Ｂは、選択された写真データに基づいて印刷データＤＰを生成する。そして、処理部２６Ｂは、モバイル端末２０における、タグ読取部２２を用いた近距離無線通信ＷＮＦＣの通信機能（ＮＦＣ通信機能）が“有効”であるかどうかを確認する（ステップＳ１１０）。ＮＦＣ通信機能が“有効”である場合（ステップＳ１１０において"Ｙ"）には、ステップＳ１１２に進む。ＮＦＣ通信機能が“無効”である場合（ステップＳ１１０において“Ｎ”）には、処理部２６Ｂは、ＮＦＣ通信機能を“有効”に設定する（ステップＳ１１１）。その際、モバイル端末２０は、例えば、ＮＦＣ通信機能を“有効”にしてもよいかどうかをユーザに問い合わせ、ユーザが同意したときにＮＦＣ通信機能を“有効”にするようにしてもよい。そして、ステップＳ１１２に進む。
【００６２】
そして、画像処理システム１は、ＮＦＣ印刷を行う（ステップＳ１１２）。
【００６３】
図７は、ステップＳ１１２におけるＮＦＣ印刷の一動作例を表すものである。図７において、ユーザの操作を括弧内に示している。
【００６４】
ＮＦＣ印刷では、ユーザが、モバイル端末２０を、ＮＦＣ印刷を行うことができる画像処理装置１０（この例では画像処理装置１０Ａ）にかざすことにより、モバイル端末２０は、近距離無線通信ＷＮＦＣにより、画像処理装置１０Ａから無線ネットワーク通信Ｗ２を行うためのネットワーク設定情報ＩＮＦを取得し、このネットワーク設定情報ＩＮＦに基づいてネットワーク設定を行うことにより、画像処理装置１０Ａとの間で無線ネットワーク通信Ｗ２を確立する。そして、モバイル端末２０は、無線ネットワーク通信Ｗ２により、印刷データＤＰを画像処理装置１０Ａに供給する。そして、画像処理装置１０Ａは、この印刷データＤＰに基づいて記録媒体に画像を形成する。以下に、この動作について詳細に説明する。
【００６５】
まず、モバイル端末２０の表示操作部２４は、モバイル端末２０を画像処理装置１０ＡのＩＣタグ１２にかざすことをユーザに促すメッセージを表示する（ステップＳ２０１）。
【００６６】
次に、ユーザが、モバイル端末２０を、画像処理装置１０ＡのＩＣタグ１２にかざすと、モバイル端末２０のタグ読取部２２は、近距離無線通信ＷＮＦＣにより、画像処理装置１０ＡのＩＣタグ１２からネットワーク設定情報ＩＮＦを読み出す（ステップＳ２０２）。これにより、モバイル端末２０の情報取得部２６Ａは、画像処理装置１０Ａからネットワーク設定情報ＩＮＦを受け取る（ステップＳ２０３）。そして、ユーザが、モバイル端末２０を、画像処理装置１０ＡのＩＣタグ１２から外す。
【００６７】
次に、モバイル端末２０の処理部２６Ｂは、無線ネットワーク通信部２１が現在用いているネットワーク設定情報を一旦退避し（ステップＳ２０４）、画像処理装置１０Ａから受け取ったネットワーク設定情報ＩＮＦに基づいてネットワーク設定を行う（ステップＳ２０５）。同様に、画像処理装置１０Ａの制御部１８は、無線ネットワーク通信部１１が現在用いているネットワーク設定情報を一旦退避し（ステップＳ２０６）、ＩＣタグに記憶されているネットワーク設定情報ＩＮＦに基づいてネットワーク設定を行う（ステップＳ２０７）。これにより、画像処理装置１０Ａは、動作モードをインフラストラクチャモードＭ１からアクセスポイントモードＭ２に切り替え、モバイル端末２０および画像処理装置１０Ａは、無線ネットワーク通信Ｗ２を確立する。
【００６８】
そして、モバイル端末２０は、無線ネットワーク通信Ｗ２により、画像処理装置１０Ａに対して印刷データＤＰを供給する（ステップＳ２０８）。具体的には、モバイル端末２０の無線ネットワーク通信部２１は、無線ネットワーク通信Ｗ２により、画像処理装置１０Ａに対して印刷データＤＰを供給し、画像処理装置１０Ａの無線ネットワーク通信部１１は、この印刷データＤＰを受け取る。
【００６９】
次に、画像処理装置１０Ａは、印刷データＤＰに基づいて画像形成処理を行う（ステップＳ２０９）。具体的には、画像処理装置１０Ａの画像形成制御部１８Ｃは、無線ネットワーク通信部１１が受け取った印刷データＤＰに基づいて、画像形成部１６の動作を制御し、画像形成部１６は、画像形成制御部１８Ｃからの指示に基づいて、記録媒体に画像を形成する。
【００７０】
そして、モバイル端末２０の処理部２６Ｂは、ステップＳ２０４において退避したネットワーク設定情報に基づいてネットワーク設定を行う（ステップＳ２１０）。同様に、画像処理装置１０Ａの制御部１８は、ステップＳ２０６において退避したネットワーク設定情報に基づいてネットワーク設定を行う（ステップＳ２１１）。これにより、画像処理装置１０Ａは、動作モードをアクセスポイントモードＭ２からインフラストラクチャモードＭ１に切り替え、モバイル端末２０は、アクセスポイント９との間で無線ネットワーク通信Ｗ１を確立し、画像処理装置１０Ａは、アクセスポイント９との間で無線ネットワーク通信Ｗ１を確立する。
【００７１】
このようにしてＮＦＣ印刷が終了する。
【００７２】
以上のように、画像処理システム１では、モバイル端末２０は、無線ネットワーク通信Ｗ１を用いて、モバイル端末２０の周囲の複数の画像処理装置１０と通信を行うことにより、周囲に近距離無線通信ＷＮＦＣを行うことができる画像処理装置１０があるかどうかを確認するようにしたので、ユーザの利便性を高めることができる。すなわち、例えば、画像処理装置１０は、ＩＣタグ１２を含まない場合や、ＩＣタグ１２を含んでいるが近距離無線通信ＷＮＦＣの通信機能（ＮＦＣ通信機能）が“無効”に設定されている場合があり得る。よって、モバイル端末２０が近距離無線通信ＷＮＦＣを行うことができる画像処理装置１０があるかどうかを確認せずに、ユーザがモバイル端末２０を画像処理装置１０にかざすようにした場合には、ユーザは、モバイル端末２０をかざして初めて、その画像処理装置１０が近距離無線通信ＷＮＦＣを行うことができないことを把握するため、手間がかかる。
【００７３】
一方、本実施の形態に係る画像処理システム１では、モバイル端末２０は、無線ネットワーク通信Ｗ１を用いて、モバイル端末２０の周囲の複数の画像処理装置１０と通信を行うことにより、周囲に近距離無線通信ＷＮＦＣを行うことができる画像処理装置１０があるかどうかを確認するようにした。よって、画像処理システム１では、ユーザは、モバイル端末２０をかざすことなく、周囲の画像処理装置１０が近距離無線通信ＷＮＦＣを行うことができるかどうかを把握することができるので、ユーザの利便性を高めることができる。
【００７４】
また、画像処理システム１では、モバイル端末２０の周囲に近距離無線通信ＷＮＦＣを行うことができる画像処理装置１０がある場合に、モバイル端末２０における近距離無線通信ＷＮＦＣの通信機能（ＮＦＣ通信機能）が“有効”であるかどうかを確認し、ＮＦＣ通信機能が“無効”である場合には、このＮＦＣ通信機能を“有効”にするようにしたの、ユーザの利便性を高めることができる。すなわち、ＮＦＣ通信機能が“有効”であるかどうかを確認せずに、ユーザに、モバイル端末２０をかざすことを促した場合には、ユーザがモバイル端末２０を画像処理装置１０にかざしても、モバイル端末２０は近距離無線通信ＷＮＦＣを行うことができないため、ユーザが混乱するおそれがある。また、この混乱を避けるために、アプリケーションソフトウェアの起動時にモバイル端末２０のＮＦＣ通信機能を“有効”に設定するように構成した場合には、例えば周辺に近距離無線通信ＷＮＦＣを行うことができる画像処理装置１０が無く、ＮＦＣ通信機能を使用することができない場合でもＮＦＣ通信機能が“有効”になってしまうので、モバイル端末２０において消費電力が増大し、バッテリの残量が早く低下するおそれがある。
【００７５】
一方、本実施の形態に係る画像処理システム１では、モバイル端末２０の周囲に近距離無線通信ＷＮＦＣを行うことができる画像処理装置１０がある場合に、モバイル端末２０におけるＮＦＣ通信機能が“有効”であるかどうかを確認し、ＮＦＣ通信機能が“無効”である場合には、このＮＦＣ通信機能を“有効”にするようにした。これにより、画像処理システム１では、モバイル端末２０の周囲に近距離無線通信ＷＮＦＣを行うことができる画像処理装置１０がある場合に、ＮＦＣ通信機能を“有効”にし、モバイル端末２０の周囲に近距離無線通信ＷＮＦＣを行うことができる画像処理装置１０がない場合には、ＮＦＣ通信機能を“無効”のままにすることができるので、モバイル端末２０における消費電力を抑えることができるため、ユーザの利便性を高めることができる。
【００７６】
［効果］
以上のように本実施の形態では、モバイル端末は、無線ネットワーク通信Ｗ１を用いて、複数の画像処理装置と通信を行うことにより、モバイル端末の周辺に近距離無線通信を行うことができる画像処理装置があるかどうかを確認するようにしたので、ユーザは、モバイル端末をかざすことなく、周囲の画像処理装置が近距離無線通信を行うことができるかどうかを把握することができるので、ユーザの利便性を高めることができる。
【００７７】
本実施の形態では、モバイル端末の周辺に近距離無線通信を行うことができる画像処理装置がある場合に、モバイル端末におけるＮＦＣ通信機能が“有効”であるかどうかを確認し、ＮＦＣ通信機能が“無効”である場合には、このＮＦＣ通信機能を“有効”にするようにしたので、モバイル端末における消費電力を抑えることができるため、ユーザの利便性を高めることができる。
【００７８】
［変形例１］
上記実施の形態では、写真データに基づいて印刷データＤＰを生成したが、これに限定されるものではなく、様々なドキュメントデータ、画像データなどに基づいて印刷データＤＰを生成してもよい。
【００７９】
［変形例２］
上記実施の形態では、モバイル端末２０が画像処理装置１０Ａに印刷データＤＰを供給したが、これに限定されるものではない。これに代えて、例えば、画像処理装置１０Ａがモバイル端末に、原稿媒体に形成された画像を読み取ることにより生成したスキャンデータＤＳを供給してもよい。以下に、本変形例に係る画像処理システム２について詳細に説明する。
【００８０】
画像処理システム２は、図１，２に示したように、複数の画像処理装置１０（画像処理装置１０Ａ，１０Ｂ，１０Ｃ，…）と、モバイル端末３０と、アクセスポイント９とを備えている。モバイル端末３０には、アプリケーションソフトウェア３６がインストールされている。このアプリケーションソフトウェア３６は、制御部３５の不揮発性のメモリに記憶されている。制御部３５は、このアプリケーションソフトウェア３６を実行可能に構成されている。アプリケーションソフトウェア３６は、処理部３６Ｂと、表示制御部３６Ｃとを有している。
【００８１】
処理部３６Ｂは、上記実施の形態に係る処理部２６Ｂと同様に、アプリケーションソフトウェア３６のプログラムに基づいて所定の処理を行うものである。処理部３６Ｂは、モバイル端末３０と画像処理装置１０Ａとの間で無線ネットワーク通信Ｗ２が確立した後に、画像処理装置１０Ａに画像読取動作を行わせることによりスキャンデータＤＳを生成させ、この無線ネットワーク通信Ｗ２により、画像処理装置１０Ａから、スキャンデータＤＳを受け取るようになっている。
【００８２】
表示制御部３６Ｃは、処理部３６Ｂにおける処理結果に基づいて、表示操作部２４に表示する画像情報を生成するものである。そして、表示制御部３６Ｃは、生成した画像情報を表示操作部２４に供給するようになっている。
【００８３】
以下、近距離無線通信ＷＮＦＣにより取得したネットワーク設定情報ＩＮＦに基づいて無線ネットワーク通信Ｗ２を確立し、画像処理装置１０Ａにおいて原稿媒体に形成された画像を読み出すことにより生成したスキャンデータＤＳをこの無線ネットワーク通信Ｗ２によりモバイル端末３０に供給する処理を、“ＮＦＣスキャン”ともいう。
【００８４】
ここで、モバイル端末３０は、アプリケーションソフトウェア３６は、本発明における「ソフトウェア」の一具体例に対応する。スキャンデータＤＳは、本発明における「画像データ」の一具体例に対応する。
【００８５】
図８は、ユーザがモバイル端末３０を操作することによりアプリケーションソフトウェア３６を起動したときのモバイル端末３０の一動作例を表すものである。
【００８６】
まず、制御部３５がアプリケーションソフトウェア２６を起動すると、表示制御部３６Ｃは、表示操作部２４が表示すべき起動中を示す画像に係る画像情報、および起動後の画像に係る画像情報を生成する。そして、処理部３６Ｂは、モバイル端末３０における、無線ネットワーク通信部２１を用いた無線ネットワーク通信Ｗ１，Ｗ２の通信機能（無線ＬＡＮ通信機能）が“有効”であるかどうかを確認する（ステップＳ１０１）。無線ＬＡＮ通信機能が“有効”である場合（ステップＳ１０１において“Ｙ”）には、ステップＳ１０３に進む。無線ＬＡＮ通信機能が“無効”である場合（ステップＳ１０１において“Ｎ”）には、処理部２６Ｂは、無線ＬＡＮ通信機能を“有効”に設定し（ステップＳ１０２）、ステップＳ１０３に進む。
【００８７】
次に、モバイル端末３０は、モバイル端末３０の周囲の動作可能な画像処理装置１０を検索する（ステップＳ１０３）。
【００８８】
次に、モバイル端末３０は、モバイル端末３０の周囲の動作可能な画像処理装置１０のそれぞれが、ＮＦＣスキャンを行うことができるかどうかを確認する（ステップＳ１２４）。具体的には、処理部３６Ｂは、情報取得部２６Ａが取得した設定情報１７Ｂに基づいて、ＩＣタグ１２を用いた近距離無線通信ＷＮＦＣの通信機能（ＮＦＣ通信機能）が“有効”かどうかを確認することにより、ＮＦＣスキャンを行うことができるかどうかを確認する。
【００８９】
モバイル端末３０の周囲に、ＮＦＣスキャンを行うことができる画像処理装置１０がない場合（ステップＳ１２５において“Ｎ”）には、上記第１の実施の形態の場合（図５Ｂ）と同様に、表示操作部２４は、メッセージ表示フィールド１０２に、モバイル端末３０の周囲に、ＮＦＣスキャンを行うことができる画像処理装置１０がない旨のメッセージを表示する（ステップＳ１２６）。そして、モバイル端末３０は、ユーザによる“スキャナ検索”ボタンの操作を受け付けると（ステップＳ１２７）、ステップＳ１０３に戻る。
【００９０】
ステップＳ１２５において、ＮＦＣスキャンを行うことができる画像処理装置１０がある場合（ステップＳ１２５において“Ｙ”）には、モバイル端末３０は、ユーザによる“次へ”ボタンの操作を受け付けた後に、表示制御部３６Ｃがスキャン条件を設定する際に用いる画像（スキャン条件設定画像）の画像情報を生成し、表示操作部２４が、その画像情報に基づいてスキャン条件設定画像を表示する（ステップＳ１２８）。ユーザは、表示操作部２４を操作することにより、解像度などのスキャン条件を設定する。そして、ユーザは、スキャン開始を指示すべく、“スキャン”ボタンの操作を行う。
【００９１】
そして、モバイル端末３０は、ユーザによる“スキャン”ボタンの操作を受け付けると（ステップＳ１２９）、処理部３６Ｂは、モバイル端末３０における、タグ読取部２２を用いた近距離無線通信ＷＮＦＣの通信機能（ＮＦＣ通信機能）が“有効”であるかどうかを確認する（ステップＳ１１０）。ＮＦＣ通信機能が“有効”である場合（ステップＳ１１０において"Ｙ"）には、ステップＳ１１２に進む。ＮＦＣ通信機能が“無効”である場合（ステップＳ１１０において“Ｎ”）には、処理部３６Ｂは、ＮＦＣ通信機能を“有効”に設定する（ステップＳ１１１）し、ステップＳ１２２に進む。
【００９２】
そして、画像処理システム２は、ＮＦＣスキャンを行う（ステップＳ１２２）。
【００９３】
図９は、ステップＳ１２２におけるＮＦＣスキャンの一動作例を表すものである。
【００９４】
まず、モバイル端末３０の表示操作部２４は、モバイル端末３０を画像処理装置１０ＡのＩＣタグ１２にかざすことをユーザに促すメッセージを表示する（ステップＳ２０１）。
【００９５】
次に、ユーザが、モバイル端末３０を、画像処理装置１０ＡのＩＣタグ１２にかざすと、モバイル端末３０のタグ読取部２２は、近距離無線通信ＷＮＦＣにより、画像処理装置１０ＡのＩＣタグ１２からネットワーク設定情報ＩＮＦを読み出す（ステップＳ２０２）。これにより、モバイル端末３０の情報取得部２６Ａは、画像処理装置１０Ａからネットワーク設定情報ＩＮＦを受け取る（ステップＳ２０３）。そして、ユーザが、モバイル端末３０を、画像処理装置１０ＡのＩＣタグ１２から外す。
【００９６】
次に、モバイル端末３０の処理部３６Ｂは、無線ネットワーク通信部２１が現在用いているネットワーク設定情報を一旦退避し（ステップＳ２０４）、画像処理装置１０Ａから受け取ったネットワーク設定情報ＩＮＦに基づいてネットワーク設定を行う（ステップＳ２０５）。同様に、画像処理装置１０Ａの制御部１８は、無線ネットワーク通信部１１が現在用いているネットワーク設定情報を一旦退避し（ステップＳ２０６）、ＩＣタグに記憶されているネットワーク設定情報ＩＮＦに基づいてネットワーク設定を行う（ステップＳ２０７）。これにより、画像処理装置１０Ａは、動作モードをインフラストラクチャモードＭ１からアクセスポイントモードＭ２に切り替え、モバイル端末３０および画像処理装置１０Ａは、無線ネットワーク通信Ｗ２を確立する。
【００９７】
そして、モバイル端末３０は、無線ネットワーク通信Ｗ２により、画像処理装置１０Ａに対してスキャン指示を行う（ステップＳ２２８）。このスキャン指示は、ステップＳ１２８において設定されたスキャン条件についての情報を含んでいる。
【００９８】
次に、画像処理装置１０Ａは、スキャン指示に基づいて画像読取処理を行う（ステップＳ２２９）。具体的には、画像処理装置１０Ａの画像読取制御部１８Ｂは、スキャン指示に基づいて画像読取部１５の動作を制御し、画像読取部１５は、画像読取制御部１８Ｂからの指示に基づいて、原稿媒体に形成された画像を読み取る。これにより、画像読取制御部１８Ｂは、スキャンデータＤＳを生成する。
【００９９】
そして、画像処理装置１０Ａは、無線ネットワーク通信Ｗ２により、モバイル端末３０に対してスキャンデータＤＳを供給する（ステップＳ２３０）。具体的には、画像処理装置１０Ａの無線ネットワーク通信部１１は、無線ネットワーク通信Ｗ２により、モバイル端末３０に対してスキャンデータＤＳを供給し、モバイル端末３０の無線ネットワーク通信部２１は、このスキャンデータＤＳを受け取る。そして、モバイル端末３０の表示制御部３６Ｃは、このスキャンデータＤＳに基づいて画像情報を生成し、表示操作部２４が、この画像情報に基づいて、ＮＦＣスキャンにより取得した画像を表示する。
【０１００】
そして、モバイル端末３０の処理部３６Ｂは、ステップＳ２０４において退避したネットワーク設定情報に基づいてネットワーク設定を行う（ステップＳ２１０）。同様に、画像処理装置１０Ａの制御部１８は、ステップＳ２０６において退避したネットワーク設定情報に基づいてネットワーク設定を行う（ステップＳ２１１）。これにより、画像処理装置１０Ａは、動作モードをアクセスポイントモードＭ２からインフラストラクチャモードＭ１に切り替え、モバイル端末３０は、アクセスポイント９との間で無線ネットワーク通信Ｗ１を確立し、画像処理装置１０Ａは、アクセスポイント９との間で無線ネットワーク通信Ｗ１を確立する。
【０１０１】
なお、この例では、画像処理システム２は、ＮＦＣスキャンを行うようにしたが、これに限定されるものではなく、さらに、ＮＦＣ印刷をも行うことができるようにしてもよい。
【０１０２】
以上、実施の形態および変形例を挙げて本技術を説明したが、本技術はこれらの実施の形態等には限定されず、種々の変形が可能である。
【０１０３】
例えば、上記の実施の形態等では、多機能周辺装置を画像処理装置１０として用いたが、これに限定されるものではなく、これに代えて、例えば、単機能のプリンタを画像処理装置１０として用いてもよい。
【０１０４】
例えば、上記の実施の形態等では、スマートフォンをモバイル端末２０として用いたが、これに限定されるものではなく、例えばタブレット端末、デジタルカメラなど、携帯可能な様々なデバイスをモバイル端末２０として用いてもよい。
【符号の説明】
【０１０５】
１，２…画像処理システム、９…アクセスポイント、１０，１０Ａ，１０Ｂ，１０Ｃ…画像処理装置、１１…無線ネットワーク通信部、１２…ＩＣタグ、１３…ＦＡＸ通信部、１４…表示操作部、１５…画像読取部、１６…画像形成部、１７…記憶部、１７Ａ…状態情報、１７Ｂ…設定情報、１８…制御部、１８Ａ…情報提供部、１８Ｂ…画像読取制御部、１８Ｃ…画像形成制御部、２０，３０…モバイル端末、２１…無線ネットワーク通信部、２２…タグ読取部、２３…電話通信部、２４…表示操作部、２５，３５…制御部、２６，３６…アプリケーションソフトウェア、２６Ａ…情報取得部、２６Ｂ，３６Ｂ…処理部、２６Ｃ，３６Ｃ…表示制御部、１００Ａ，１００Ｂ…画像、１０１…リスト表示フィールド、１０２…メッセージ表示フィールド、１０３…“プリンタ検索”ボタン、１０４…“次へ”ボタン、１０５…アイコン、１１１…サムネイル表示フィールド、１１２…“印刷プレビュー”ボタン、１１３…“印刷”ボタン、ＤＰ…印刷データ、ＤＳ…スキャンデータ、ＩＮＦ…ネットワーク設定情報、ＷＮＦＣ…近距離無線通信、Ｗ１，Ｗ２…無線ネットワーク通信。
【図１】
2019145999.tif 000003
【図２】
2019145999.tif 000004
【図３】
2019145999.tif 000005
【図４】
2019145999.tif 000006
【図５Ａ】
2019145999.tif 000007
【図５Ｂ】
2019145999.tif 000008
【図６】
2019145999.tif 000009
【図７】
2019145999.tif 000010
【図８】
2019145999.tif 000011
【図９】
2019145999.tif 000012